(57)【要約】【課題】操作者や患者の操作・動作タイミングに関する情報を含む記録映像を撮像可能な画像診断装置を提供すること。【解決手段】検査対象の内部を画像化する撮像手段と、撮像手段が撮像した画像から映像信号を作成する画像処理手段と、映像信号を記録する記録手段とを備え、前記記録手段は、撮像手段を操作する操作者及び検査対象の、撮像中における動作・操作に関する非映像情報を記録する非映像情報記録手段を備え、非映像情報記録手段が記録した非映像情報と映像信号とを用いて動画ファイルを作成・表示する。【選択図】図２
2010269051.tif 000002
【特許請求の範囲】
【請求項１】
検査対象の内部を画像化する撮像手段と、前記撮像手段が撮像した画像から映像信号を作成する画像処理手段と、前記映像信号を記録する記録手段とを備えた画像診断装置であって、
前記記録手段は、前記撮像手段を操作する操作者及び前記検査対象の、撮像中における動作・操作に関する非映像情報を記録する非映像情報記録手段を備え、前記非映像情報記録手段が記録した非映像情報と前記映像信号とを用いて動画ファイルを作成することを特徴とする画像診断装置。
【請求項２】
請求項１記載の画像診断装置であって、
前記非映像情報記録手段は、前記撮像手段の近傍で発生する音声を収集する音声信号を生成する音声信号発生手段を含み、
さらに前記記録手段及び前記音声信号発生手段の動作を制御する制御手段を備え、
前記制御手段は、前記撮像手段の動作に連動して前記音声信号発生手段を動作させて、前記映像信号とともに前記音声信号を前記記録手段に送り、
前記記録手段は、前記映像信号と前記音声信号を用いて、前記動画ファイルを作成することを特徴とする画像診断装置。
【請求項３】
請求項１又は２に記載の画像診断装置であって、
前記撮像手段として、２以上の撮像手段を備え、
前記記録手段は、２以上の映像信号と前記非映像情報とを用いて、前記動画ファイルを作成することを特徴とする画像診断装置。
【請求項４】
請求項１ないし３いずれか１項記載の画像診断装置であって、
前記撮像手段は、Ｘ線透視装置を含むことを特徴とする画像診断装置。
【請求項５】
請求項１ないし４いずれか１項記載の画像診断装置であって、
前記操作者の動作タイミングを入力する入力手段をさらに備え、
前記記録手段は、前記入力手段の入力に従い、動作の開始、継続、終了を表す情報を、前記動画ファイルに追加して記録することを特徴する画像診断装置。
【請求項６】
請求項５記載の画像診断装置であって、
前記記録手段は、前記動画ファイルとして、タイムコードを含む動画ファイルを作成し、前記入力手段の入力に従い、動作の継続期間におけるタイムコードの表示を動作が行なわれていないときの表示と異ならせることを特徴とする画像診断装置。
【請求項７】
請求項１ないし６いずれか１項記載の画像診断装置であって、
前記記録手段は、前記撮像手段及び／又は画像処理手段の操作内容を表す画像ファイルを記憶するメモリを備え、前記撮像手段及び／又は画像処理手段の操作に応じて、対応する操作の画像ファイルを、操作が行なわれた時間、前記動画ファイルに付加して記録することを特徴とする画像診断装置。
【請求項８】
請求項７記載の画像診断装置であって、
前記撮像手段の操作は、透視条件の変更、フィルタの変更、造影剤の注入を含むことを特徴とする画像診断装置。
【発明の詳細な説明】
【技術分野】
【０００１】
本発明は、画像診断装置に関し、特に診断時の操作性、診断精度及び効率を向上することができる技術に関する。
【背景技術】
【０００２】
手術映像の記録は、診断の向上は勿論のこと、今後の手術技術の向上に有用な資料であり、後進指導、学会発表、インフォームド・コンセントの点などからも重要である。
【０００３】
手術映像には、例えば、内視鏡映像やX線診断装置の透視像などが利用されている。また、透視像をテレビモニタで映し出すX線診断装置において、透視像の他に透視像と異なる像を同一のモニタに映像させ、それを記録する試みがなされるようになってきた（特許文献１）。同一のモニタに異なる像を同時に映像させることで、例えば内視鏡で映し出された診断箇所と、その診断箇所と周辺を含む断層像とを対応つけて同時に認識できることから、診断の効率が極めてよくなる。
さらに透視像の画像信号を記録した録画テープに、診断部位に関する情報を音声データとして追加記録する技術が特許文献２に提案されている。
【先行技術文献】
【特許文献】
【０００４】
【特許文献１】特開平２−６８０２７号公報
【特許文献２】特開平４−２１１５８９号公報
【発明の概要】
【発明が解決しようとする課題】
【０００５】
手術映像の記録を用いた診断の精度向上や後進指導では、手術の際の術者の動作タイミングを正確に知る必要がある。しかしながら、透視像や内視鏡像などの映像をモニタに映像させ記録する従来の画像診断装置では、術者の動作タイミングは、映像から判断するしかないという問題がある。この問題は、診断部位に関する情報を音声データとして記録する特許文献２の技術でも、解決されていない。
【０００６】
本発明は、術者や患者の動作タイミングに関する情報を、手術映像の記録に含ませること、それによりさらなる診断精度の向上を図ると共に、資料としての有用性を高めることを課題とする。
【課題を解決するための手段】
【０００７】
本発明は、画像診断装置が、映像信号から動画ファイルを作成する際に、動作タイミングに関する非映像情報を同時に動画ファイルに組み込む機能を持つ記録装置を備えることにより上記課題を解決する。
【０００８】
すなわち、本発明の画像診断装置は、検査対象の内部を画像化する撮像手段と、前記撮像手段が撮像した画像から映像信号を作成する画像処理手段と、前記映像信号を記録する記録手段とを備えた画像診断装置であって、前記記録手段は、前記撮像手段を操作する操作者及び前記検査対象の、撮像中における動作・操作に関する非映像情報を記録する非映像情報記録手段を備え、前記非映像情報記録手段が記録した非映像情報と前記映像信号とを用いて動画ファイルを作成することを特徴とする。
【０００９】
また本発明の画像診断装置は、検査対象の内部を画像化する撮像手段と、前記撮像手段が撮像した画像から映像信号を作成する画像処理手段と、前記映像信号から動画ファイルを作成し、表示・記録させる記録手段と、前記撮像手段の近傍で発生する音声を収集する音声信号を生成する音声信号発生手段と、前記記録手段及び前記音声信号発生手段の動作を制御する制御手段とを備え、前記制御手段は、前記撮像手段の動作に連動して前記音声信号発生手段を動作させて、前記映像信号とともに前記音声信号を前記記録手段に送り、前記記録手段は、前記映像信号と前記音声信号を用いて、前記動画ファイルを作成することを特徴とする。
【発明の効果】
【００１０】
本発明の画像診断装置によれば、撮像手段に連動して非映像記録手段が記録した操作者等の動作に関する非映像情報、例えば、音声信号発生手段が収集した音声を含む動画ファイルが提供されるので、診断、後進指導、インフォームド・コンセント等にとって非常に価値の高い記録映像が得られる。
【００１１】
また音声信号発生手段等の非映像記録手段の動作が、撮像手段の動作に連動しているので、撮像後の編集作業等が不要となるほか、撮像とは無関係な音声の収集をせず、記録手段の記憶容量の負担を軽くすることができる。
【図面の簡単な説明】
【００１２】
【図１】本発明の画像診断装置の一実施の形態を示す全体ブロック図
【図２】図１の画像診断装置の記録装置を示すブロック図
【図３】ビデオコンバータの詳細を示す図
【図４】本発明の第１の実施の形態の処理手順を示す図
【図５】第１の実施の形態の表示例を示す図で、（ａ）は記録プログラム起動時の表示例、（ｂ）は映像再生時の表示例である。
【図６】本発明の第２の実施の形態の処理手順を示す図
【図７】第２の実施の形態の記録プログラム起動時の表示例を示す図
【図８】第２の実施の形態の映像再生時の表示例を示す図
【図９】第２の実施の形態において、記録部に記録されるデータの一例を示す図
【図１０】本発明の第３の実施の形態の処理手順を示す図
【図１１】第３の実施の形態において、記録部に記録されるデータの一例を示す図
【図１２】第３の実施の形態の表示例を示す図
【発明を実施するための形態】
【００１３】
以下、X線画像診断装置を例にして本発明の実施の形態を説明するが、本発明はX線画像診断装置のほか、動画を生成する機能が付加された装置であれば、例えばMRI装置、PET装置、超音波診断装置、内視鏡装置など、すべての医用画像診断装置に適用することができる。また本発明は、これら医用画像診断装置を単独で用いるのではなく、２以上の画像診断装置からの映像信号を用いて、複合的な診断情報を提供する統合された画像診断装置にも適用することができ、より利用価値の高い診断情報を提供することができる。
【００１４】
図１は、内視鏡映像等を外部入力映像として利用するX線透視装置の概要を示すブロック図である。このX線透視装置は、主たる構成として、X線透視像を取得する撮像部１０と、撮像部１０が撮像した画像を処理し、映像信号を生成する画像処理部２０と、画像処理部２０が生成した映像信号を入力し、動画ファイルを生成する記録部３０とを備えており、画像処理部２０と記録部３０は、撮像部１０が置かれた検査室とは別の操作室に配置されている。また検査室と操作室には、それぞれ、撮像中に室内で発せられた操作者や被検体の音声などを検出し、音声信号を生成するマイク４１、４２が備えられている。これらマイク４１、４２が生成する音声信号は、記録部３０に送られる。
【００１５】
撮像部１０には、図示していないが、X線源や、X線源から出て被検体（ここでは患者）を透過したX線を検出するX線検出器や、被検体を寝かせてX線撮影に応じて移動し、あるいは角度を変更して良好な撮像ができるようにするための機構を備えた寝台装置などが備えられている。また撮像部１０には、撮像の開始と終了を指示するためのスイッチ１１が備えられており、このスイッチ１１を操作することにより、予め設定された透視条件（Ｘ線管の管電圧、管電流、曝照量（ｍＡｓ）、曝照時間（ｍｓｅｃ）で連続的なX線の照射と透過X線検出とを行なう透視撮像を開始し或いは終了する。スイッチ１１は、記録部３０における記録開始のスイッチを兼ねている。
【００１６】
画像処理部２０は、X線検出器が検出するX線の強度に対応する電気信号に対し、必要に応じて、フィルタ処理、差分処理等の信号処理を行うと共に、フレームごとに垂直同期信号を含む映像信号を生成する。画像処理部２０には、撮像部１０による撮像の開始と終了を指示するためのスイッチ２１が備えられている。スイッチ２１の機能は、撮像部１０に備えられたスイッチ１１と同様である。
【００１７】
記録部３０は、画像処理部２０からの映像信号を入力し、表示装置（モニタ等）への表示や記録媒体への記録を行なうための動画ファイルを作成するものであり、画像処理部２０からの映像信号ほかに、外部の撮像手段であるカメラ（例えば、内視鏡カメラ）５０からの映像信号も入力する。
【００１８】
またこの画像診断装置には、作成した動画ファイルを表示するとともに操作者の操作用ユーザーインターフェイス（ＧＵＩ）を兼ねるモニタ３１（スピーカー付）やマウス３２、キイボード３３などの入力装置及び外部記憶装置６０が備えられている。なお図では、モニタや入力装置が記録部３０に接続された状態を示しているが、画像処理部２０と記録部３０とは同一のワークステーションに組み込むことができ、その場合には、そのワークステーションに備えられた入出力装置が、上記モニタや入力装置となる。また画像処理部２０と記録部３０とが、別個のコンピュータ上に構築されている場合には、それぞれがモニタや入力装置を備えていてもよい。
【００１９】
記録部３０の詳細を図２に示す。記録部３０は、Ｘ線透視装置の画像処理部２０からの映像信号１と、内視鏡カメラ５０からの映像信号２とを入力し、それぞれの画面を含む画像信号を生成するビデオコンバータ３６と、検査室のマイク４１からの音声信号１と、操作室のマイク４２からの音声信号２とを入力し、それらを合成したディジタル音声信号を生成する音声ミキサー３７と、ビデオコンバータ３６から出力される画像信号と音声ミキサー３７から出力される音声信号とを用いて動画ファイルを生成するキャプチャー３８と、動画ファイルの生成に用いられる種々の画像ファイルやプログラムを格納するメモリ３９と、記録部３０の動作を制御する主制御部３５とを備えている。記録部３０の各部は、メモリ３９に予め格納された所定の記録プログラム３４を主制御部３５にロードすることによって動作する。
【００２０】
ビデオコンバータ３６は、例えば、図３に示すように、アナログ信号である各映像信号１、２をディジタル信号に変換するＡ／Ｄ変換器３６１ａ、３６１ｂと、各ディジタル映像信号を、テレビ画像の視野サイズを変えずにフレーム毎に記憶する主画像用フレームメモリ３６２ａ、３６２ｂ、各ディジタル映像信号を、テレビ画像の視野サイズを縮小してフレーム毎に記憶する副画像用フレームメモリ３６３ａ、３６３ｂと、一方の映像信号の主画像用フレームメモリの出力と他方の映像信号の副画像用フレームメモリの出力を選択するための切替スイッチ３６４と、主画像用フレームメモリと副画像用フレームメモリとの合成された出力をアナログ信号に変換するＤ／Ａ変換器３６５とを備えている。主画像用フレームメモリ及び副画像用フレームメモリへの書き込み、読み出し並びに切替スイッチ３６４の動作は主制御部３５（記録プログラム）により制御される。
【００２１】
主制御部３５は、主画像用フレームメモリ及び副画像用フレームメモリの画像データをそれぞれアドレスを指定して読み出し、Ｄ／Ａ変換器３６５を介してキャプチャー３８に入力する。キャプチャー３８は、音声ミキサー３７から出力されたディジタル音声信号を加え、モニタ３１で表示可能なファイル形式の音声付動画ファイルに変換する。キャプチャー３８で生成された動画ファイルは、モニタ３１に動画として表示されるとともに、磁気テープ、光ディスク、ＤＶＤ等の外部記憶装置６０に格納される。
【００２２】
以下、上述した記録部３０の動作を中心に、Ｘ線画像診断装置の動作を説明する。
【００２３】
＜第一の実施の形態＞
本実施の形態の記録プログラムのフローを図４に、表示例を図５に示す。
記録部３０の電源を入れると自動的に記録プログラム３４が起動し（ステップＳ４０１）、操作画面がモニタ３１に表示される（ステップＳ４０２）。操作画面には、図５（ａ）に示すように、記録開始のアイコン５０４が表示され、記録プログラム３４はマウス３２やキイボード３３の入力操作を受け付ける。画面に表示された記録開始のアイコン５０４もしくは、画像処理部２０の透視のスイッチ２１及び／又は撮像部１０のスイッチ１１がＯＮにされると（ステップＳ４０３）、これと同期して、透視像（映像信号１）と外部入力映像（映像信号２）が記録部３０に記録される（ステップＳ４０４）。
【００２４】
具体的には、アナログ信号である映像信号１と映像信号２とは、ビデオコンバータ３６において、それぞれＡ／Ｄ変換された後、視野サイズの異なるフレームメモリ（主画面用フレームメモリ、副画面用フレームメモリ）に記憶される。切替スイッチ３６４が、例えば主画面用フレームメモリから読み出された映像信号１と、副画面用フレームメモリから読み出された映像信号２とを選択するように設定されている場合には、映像信号１の画像に映像信号２の画像をはめ込んだ画像が動画ファイルが作成される。
【００２５】
また、操作室マイク４２から得られる操作室音声と検査室マイク４１から得られる検査室音声の２つの音声信号は、記録部３０の音声ミキサー３７によりミキシングされ1つの音声信号となり、記録プログラムにより透視像（映像信号１）と外部入力映像（映像信号２）とともに１つのデータ（動画ファイル）として記録される。それにより記録された映像には、術中の映像と同期した検査室と操作室の音声が付加される。
【００２６】
透視が終了して、画像処理部２０の透視のスイッチ２１及び／又は撮像部１０のスイッチ１１がＯＦＦにされると（ステップＳ４０５）、映像の記録と音声の記録（動画ファイルの作成）を停止する（ステップＳ４０６）。記録プログラムは、ＧＵＩを介してプログラム終了の指示を入力するか記録部３０の電源をＯＦＦすることにより終了する（ステップＳ４０７）。
【００２７】
図５は、表示画面の一例を示す図であり、（ａ）は記録プログラムを起動したときの表示画面を表した図、（ｂ）は映像と音声を記録中或いは再生時の表示画面を示す図である。図示するように、表示画面５００には、検査中の被検者の被検者番号５０１、主画面５０２、副画面５０３、録画開始を指示するアイコン５０４などの表示領域が設定されている。図示していないが、動画ファイルの再生時には、記録がなされたときの時間情報をタイムコードとして画面に表示してもよい。
【００２８】
記録プログラムが起動すると、図５（ａ）に示すように、被検者番号５０１及び開始アイコン５０４が表示される。被検者番号５０１は、例えば患者のカルテや診察カードなどから読み取ったものが自動的に表示される。次いで透視撮像及び内視鏡カメラによる撮像が開始され、同時に記録が開始される。記録と同時に、作成された映像はモニタ３１に表示される。記録中或いは再生時の表示画面には、図５（ｂ）に示すように、例えば透視像が主画面５０２に、内視鏡像が副画面５０３に表示される。透視像を映し出す画面には、記録終了を指示するアイコン５０５を表示してもよい。
【００２９】
透視中すなわち映像記録中は、操作者は画面に映し出された映像、例えば内視鏡画像とカメラ先端を含む断面画像を確認しながら、必要な指示を被検者等に与える。透視中に操作室で操作者が発声する指示、例えば「造影剤を飲んでください」、「息を止めてください」等の指示や検査室にいる患者が実際に造影剤を飲み込んだときに出る音「ゴックン」などは同時に録音され、記録される。
【００３０】
映像の再生時には、上述した動作タイミングを示す術者や被検者の音声が、それが発せられたときの映像と同期して再生される。これにより、映像からだけでは判断できない術者の動作タイミングを正確に知ることが可能となる。これらの情報は、医師等の動作タイミングと関連付けられていない映像のみの資料に比べ、診断上で有用であるのみならず、後進指導やインフォームド・コンセントの資料として極めて有用である。
【００３１】
以上、本発明の画像診断装置の実施の形態として、内視鏡映像を外部映像として取り込んで記録するＸ線透視装置を一例に説明したが、本発明の画像診断装置は、映像記録機能と連動した非映像情報記録機能を備えた記録装置を有することが特徴であり、処理する映像信号は単一であっても３以上であってもよく、例えば外部映像を入力しない画像診断装置であっても適用することができる。また撮像手段として複数の異なる種類の画像を撮像する装置を組み合わせた複合機にも適用することができる。さらに、撮像手段が得る原画像データは映像信号以外のデータであってもよく、複数の時系列静止画像が得られるものであれば、画像処理部において当該画像データを映像信号に変換することにより本発明を同様に適用することができる。
【００３２】
また第一の実施の形態では、操作者及び被検体の動作に関わる非映像情報として音声情報を収集し、記録する場合を説明したが、音声情報に代えて、或いは音声情報に加えて、音声以外の非映像情報を記録させることも可能である。
【００３３】
以下、第二及び第三の実施の形態として、第一の実施の形態の機能に加えて、付加的な非映像情報記録機能を持つ画像診断装置の実施の形態を説明する。
【００３４】
＜第二の実施の形態＞
本実施の形態は、操作のタイミング（開始、終了）情報を、音声情報だけでなく、モニタ３１および入力装置からなるユーザーインターフェイスを介して受付け、表示・記録する。装置の構成は、図１〜図３に示したものと同様であるが、記録部３０のメモリ３９にマーキング時間記録ファイルを格納する領域が設けられていること及び記録プログラムが異なる。マーキングとは、ＧＵＩを通して操作／動作のタイミングを操作者が入力することを意味する。
【００３５】
本実施の形態の記録プログラムのフローを図６に、表示例を図７及び図８に示す。図６のフローのステップＳ６０１〜Ｓ６０７は、図４のフローのステップＳ４０１〜Ｓ４０７とほぼ同様の処理内容であり、ステップＳ６１０〜Ｓ６１３が追加された処理である。
【００３６】
記録部３０の電源を入れると自動的に記録プログラム３４が起動し、操作画面がモニタ３１に表示される（ステップＳ６０１、Ｓ６０２）。操作画面には、図７に示すように、検査中の被検者の被検者番号７０１、透視像あるいは内視鏡像を映し出す主画面７０２、内視鏡像あるいは透視像を映し出す副画面７０３、録画開始を指示するアイコン７０４、時間記録開始を指示するアイコン（マーキングボタン）７０５が表示されている。マーキングボタン７０５は、何らかの動作や操作がなされていることを入力するために画面に表示されるアイコンであり、透視が継続する間、表示される。
【００３７】
記録プログラム３４はマウス３２やキイボード３３の入力操作を受け付ける。記録開始のアイコン７０４もしくは、画像処理部２０の透視のスイッチ２１及び／又は撮像部１０のスイッチ１１がＯＮにされると（ステップＳ６０３）、これと同期して、透視像（映像信号１）と外部入力映像（映像信号２）が記録部３０に記録される（ステップＳ６０４）。
【００３８】
映像の記録と同期して、操作室マイク４２と検査室マイク４１から得られる操作室音声（音声信号２）と検査室音声（音声信号２）が記録される。２種の映像信号と２つの音声信号の記録の動作は、第一の実施の形態と同様である。映像と音声の記録（ステップＳ６０４）は、記録終了ボタンの操作あるいは画像処理部２０の透視のスイッチ２１及び／又は撮像部１０のスイッチ１１がＯＦＦされるまで続けられる（ステップＳ６０５、Ｓ６０６）。
【００３９】
記録の最中に、被検体や操作者が特定の動作や操作を行なっていることを示すマーキングアイコン７０５が操作されると（ステップＳ６１０）、次にマーキングアイコン７０５が操作されてマーキングが終了されるまでの時間が、記録部３０の、例えばメモリ３９にマーキング時間記録ファイルとして記憶される（ステップＳ６１１、Ｓ６１２）。マーキング時間情報は、後述する手法により、記録された映像を再生する際に画面に表示される。２回目のマーキングアイコン（マーキング終了アイコン）７０５の操作によってマーキング（時間記録）が終了した後も映像信号と音声信号の記録は継続され（ステップＳ６１３、Ｓ６０４）、以下、マーキングアイコン７０５が操作されるたびに、映像及び音声の記録（動画ファイルの作成）と同期して時間記録が行なわれる。マーキング時間記録ファイル９００の一例を図９に示す。図示する例では、開始時刻を００：００（分：秒）としてマーキングの時間が記録されている。
【００４０】
プログラム終了の指示の入力或いは記録部３０の電源ＯＦＦにより記録プログラム終了することは第一の実施の形態と同様である（ステップＳ６０７）。
【００４１】
図８は、記録した映像と音声を再生する際の表示画面を示す図である。図示する例では、時系列的に変化する表示画面のうち、マーキングアイコン７０５の操作によって記録された時間に相当する画面のタイムコード８０１を強調して表示することにより、記録された時間を再生している。なお、強調したタイムコードの画像データは、記録部３０のキャプチャー３８で作成し、動画ファイルに加えられる。図では、マーキング状態ではないときに比べ太い文字でタイムコードを強調しているが、その他、色を異ならせるなど強調の仕方は適宜変更することができる。
【００４２】
本実施の形態によれば、音声による動作開始タイミングの確認に加えて、動作或いは操作が続いている時間を視覚的に捉えることができるので、より正確な術者の動作タイミングを知ることが可能となる。
【００４３】
＜第三の実施の形態＞
本実施の形態は、映像及び音声の記録に加えて、撮像部及び画像処理部における操作内容をそれが実行されたタイミング（開始、終了）情報とともに、撮像部から読み込み、表示・記録する。装置の構成は、図１〜図３に示したものと同様であるが、記録部３０のメモリ３９に操作内容記録ファイルを格納する領域が設けられていること及び記録プログラムが異なる。操作内容は、X線透視装置であれば、造影剤注入、ベッド位置の変更、管電圧等の透視条件変更、画像処理のフィルタ変更などを含む。
【００４４】
本実施の形態の記録プログラムのフローを図１０に示す。図１０のフローのステップＳ９０１〜Ｓ９０７は、図６のフローのステップＳ６０１〜Ｓ６０７と同様の処理内容であるので、ここでは説明を省略し、追加された処理ステップＳ９１０、Ｓ９１１について説明する。
【００４５】
ステップ９０４の映像信号と音声信号の記録中に、撮像部１０や画像処理部２０で何らかの操作が行なわれると、その操作内容とともに操作の開始及び終了の時刻が撮像部１０や画像処理部２０から記録部３０（主制御部）に送られる（ステップＳ９１０）。例えば、画像処理部２０の入力装置（ＧＵＩ）を介してＸ線管の管電圧等の透視条件の変更を指示すると、入力装置から画像処理部２０に送られる指示内容と同じ情報が、変更指示の時刻とともに記録部３０に送られ、メモリ３９の操作内容記録ファイルに記録される（ステップＳ９１１）。或いは画像処理部２０が画像処理に用いるフィルタの変更をＧＵＩを介して指示した場合には、その情報は変更指示がなされた時刻とともに記録部３０のメモリの操作内容記録ファイルに記録される。
【００４６】
また操作内容が造影剤の注入等のように、ＧＵＩからの信号は発せられないが透視画像の変化から操作の有無を判断可能な操作の場合には、透視画像から画像処理により操作の開始や終了を判断することも可能である。例えば造影剤注入であれば、画像において造影剤が注入された部分は、白或いは黒（画素値が最小値或いは最大値）となるので、白又は黒の画素の面積の変化から造影剤の注入を判断する。
【００４７】
図１１に操作内容記録ファイル１１０の一例を示す。なお図示する例では、操作内容と時刻のみを記録しているが、これらの情報に加えて、操作の結果、例えば管電圧であれば変更後の電圧値、フィルタであればフィルタの種類に関する情報も記録部３０に記録するようにしてもよい。
【００４８】
記録部３０のメモリ３９には、個々の操作内容に対応する画像ファイルが予め格納されており、この画像ファイルがキャプチャー３８が作成した動画ファイルに字幕表示される。具体的には、キャプチャー３８が記録された映像・音声を再生する際に、操作内容記録ファイル１１０が参照され、操作内容記録ファイル１１０に記録されている時間の間、操作内容記録ファイル１１０に記録されている操作内容（およびその結果）に相当する画像ファイルが動画ファイルに重畳して表示される。この際、第二の実施の形態と同様に、タイムコードを強調表示してもよい。再生した画像の一例を図１２に示す。図示する例では、「造影剤注入」という文字情報が、造影剤注入を行なっているときに撮影された映像に表示されている。
【００４９】
第三の実施の形態によれば、記録映像に、撮像部や画像処理部で行われた操作内容が操作開始から終了までの間、例えば字幕として表示されるので、撮像部や画像処理部で行った操作と動作タイミングを知ることが可能となる。また第三の実施の形態によれば、操作者が操作しなくても自動的に操作タイミングが記録されるので、操作者が操作を忘れることによる不正確さを回避できる。
【００５０】
なお第二および第三の実施の形態では、映像・音声に付加する情報の記録として、操作者の操作によるマーキング時間記録（タイミング情報の記録）及び撮像部や画像処理部から読み込んだ操作情報の記録を行なう実施の形態を説明したが、このような非映像情報の記録は音声記録を伴わない場合にも実施することができ、そのような実施の形態も本発明に含まれる。
【産業上の利用可能性】
【００５１】
本発明は、医者や撮影技師などの操作者が何らかの動作や操作を行ないながら撮像を行なう画像診断装置に適用することができ、撮像された映像の記録に同期して操作者による動作や操作のタイミングに関する情報が記録・再生されるので、診断精度の向上を図ることができる。また後進指導やインフォームド・コンセント等に有用な資料を提供することができる。
【符号の説明】
【００５２】
１０・・・撮像部、２０・・・画像処理部、３０・・・記録部、３１・・・モニタ、３４・・・記録プログラム３６・・・ビデオコンバータ、３７・・・音声ミキサー、３８・・・キャプチャー、３９・・・メモリ、４１、４２・・・マイク、５０・・・カメラ、６０・・・外部記録装置。
【図１】
2010269051.tif 000003
【図２】
2010269051.tif 000004
【図３】
2010269051.tif 000005
【図４】
2010269051.tif 000006
【図５】
2010269051.tif 000007
【図６】
2010269051.tif 000008
【図７】
2010269051.tif 000009
【図８】
2010269051.tif 000010
【図９】
2010269051.tif 000011
【図１０】
2010269051.tif 000012
【図１１】
2010269051.tif 000013
【図１２】
2010269051.tif 000014